(57)【要約】  【課題】  ナインボールゲーム等のビリヤードの公式競技において、ゲーム開始時に、ビリヤード台上の所定の位置に全てのボールを正確にまた容易に整列させることができるナインボールの位置決めシート及びボール位置決め方法を提供することである。【解決手段】  矩形状の透明ビニールシートと剥離シートとの間に、ナインボール配列位置に合致させた九枚の円環状の粘着シートを貼付した構成のナインボールの位置決めシートとし、ビリヤード台表面のビリヤードクロスに貼付されると共にボールの転がりを妨害しない程度の大きさと薄さを備える円環状の粘着シートを用いて、前記粘着シートに設けられる小径丸穴にボールを載置するボール位置決め方法とした。【選択図】    図１ 
2005270252.tif 000002
【特許請求の範囲】
【請求項１】
片面に粘着剤が塗布され、ビリヤード台表面のビリヤードクロスに貼り付け可能なシートであって、ナインボールゲームにおける九個のボールの配列位置に合致する位置に予め九個の小径丸穴を備えていることを特徴とするナインボールの位置決めシート。
【請求項２】
前記シートを、透明ビニールシートと剥離シートとの間に、直径が４〜６ｍｍの丸孔を備え外径が略１５ｍｍで厚みが０．１ｍｍ程度以下の九枚の円環状の粘着シートを挟みこんだサンドイッチ構成としたことを特徴とする請求項１に記載のナインボールの位置決めシート。
【請求項３】
前記透明ビニールシートと剥離シートとが矩形状であって、該矩形状の所定位置に、前記円環状の粘着シートを貼付した構成としていることを特徴とする請求項２に記載のナインボールの位置決めシート。
【請求項４】
ビリヤードのナインボールゲームにおけるボール位置決め方法であって、
ビリヤード台表面のビリヤードクロスに貼付されると共にボールの転がりを妨害しない程度の大きさと薄さを備える粘着シートを用いて、前記粘着シートに設けられる小径丸穴にボールを載置する構成としたことを特徴とするボール位置決め方法。
【請求項５】
前記粘着シートを、透明ビニールシートと剥離シートとの間に挟みこんだサンドイッチ構成とすると共に、前記剥離シートを剥がして、前記透明ビニールシートに前記粘着シートを付着した状態で、該粘着シートの位置を前記透明ビニールシート越しに認識して、ボール載置位置に正しく前記粘着シートを前記ビリヤードクロスに貼り付けることを特徴とする請求項４に記載のボール位置決め方法。
【請求項６】
前記粘着シートを、直径が４〜６ｍｍの丸孔を備え外径が略１５ｍｍで厚みが０．１ｍｍ程度以下の九枚の円環状シートで構成していることを特徴とする請求項５に記載のボール位置決め方法。
【発明の詳細な説明】
【技術分野】
【０００１】
本発明は、ビリヤードのナインボールゲームにおけるナインボールの位置決めシート及びボール位置決め方法に関するものである。
【背景技術】
【０００２】
従来、ビリヤードにおいて、そのゲーム開始時に使用する多数のボール（的球）を整列させる際には、所定個数のボールを整列状態に保持する木枠等を使用している。
【０００３】
また、最近では、ビリヤードの公式競技として九個のボール（１番から９番）を使用するナインボールゲームが盛んである。このナインボールゲームとは、最も若い番号のボール（的球）に手球を撞き当てて、順にボールを落としていき、最後に９番のボールを落とした競技者が勝利するゲームである。
【０００４】
そのために、ゲーム開始時には、最後に落とすべき９番のボールが最内部に位置するように整列することが重要である。また競技開始時のボールの跳ね返り等が公平となるように、九個のボール全てをビリヤード台上の所定の位置に正確に整列させることも大事である。
【０００５】
しかし、ボールを整列させる方法としては前記木枠等の枠体を使用することは一般によく知られているが、それ以外の整列方法は特に見当たらない。（例えば、特許文献１参照）。
【特許文献１】実開昭６４−２８６８１号公報（第１−３頁、第６図）
【発明の開示】
【発明が解決しようとする課題】
【０００６】
ナインボールゲームにおいて九個のボールを、枠体を利用してビリヤード台上の所定の位置に略正確に整列させることは可能である。しかし、先頭の１番のボール位置を確認して九個のボール全てを整列することになり、九個の全てのボールを正確な位置に整列しているとは必ずしも言えない。
【０００７】
また、公式競技においては、競技者間に不公平が生じないように、競技開始前に九個のボールをビリヤード台上の所定の位置に正確に整列させることが重要である。
【０００８】
さらに、競技を円滑に遂行するためには、短時間にまた容易に、九個全てのボールを整列させることが望ましい。
【０００９】
本発明の目的は、上記問題点を解消するために、ナインボールゲーム等のビリヤードの公式競技において、ゲーム開始時に、ビリヤード台上の所定の位置に全てのボールを正確にまた容易に整列させることができるナインボールの位置決めシート及びボール位置決め方法を提供することである。
【課題を解決するための手段】
【００１０】
上記の目的を達成するために請求項１に係る発明は、片面に粘着剤が塗布され、ビリヤード台表面のビリヤードクロスに貼り付け可能なシートであって、ナインボールゲームにおけるナインボールの配列位置に合致する位置に予め九個の小径丸穴を備えていることを特徴としている。
【００１１】
上記の構成を有する請求項１に係る発明によれば、該シートをビリヤード台表面のビリヤードクロスに貼り付けると、ナインボールの九個のボールを整列させる位置にボールを載置可能な丸孔を配置することができる。
【００１２】
請求項２に係る発明は、前記シートを、透明ビニールシートと剥離シートとの間に、直径が４〜６ｍｍの丸孔を備え外径が略１５ｍｍで厚みが０．１ｍｍ程度以下の九枚の円環状の粘着シートを挟みこんだサンドイッチ構成としたことを特徴としている。
【００１３】
上記の構成を有する請求項２に係る発明によれば、携帯容易で必要に応じて使用可能なナインボールの位置決めシートとすることができ、ナインボール九個のボールの正確なボール位置に、ボールの転がりを妨害せず、悪影響を及ぼさない程度に薄くて小さな粘着シートを同時に貼付することができる。
【００１４】
請求項３に係る発明は、前記透明ビニールシートと剥離シートとが矩形状であって、該矩形状の所定位置に、前記円環状の粘着シートを貼付した構成としていることを特徴としている。
【００１５】
上記の構成を有する請求項３に係る発明によれば、ナインボール九個の正確なボール位置に、九枚の粘着シートを容易に、また、同時に貼付することができる。
【００１６】
請求項４に係る発明は、ビリヤードのナインボールゲームにおけるボール位置決め方法であって、ビリヤード台表面のビリヤードクロスに貼付されると共にボールの転がりを妨害しない程度の大きさと薄さを備える粘着シートを用いて、前記粘着シートに設けられる小径丸穴にナインボールを載置する構成としたことを特徴としている。
【００１７】
上記の構成を有する請求項４に係る発明によれば、九個のボールをビリヤード台表面のビリヤードクロスに貼り付ける粘着シートの丸穴に載置するだけで、ナインボールの正確な位置に整列させることができ、そのまま競技を続行することができる。
【００１８】
請求項５に係る発明は、前記シートを、透明ビニールシートと剥離シートとの間に前記丸穴を備える粘着シートを挟みこんだサンドイッチ構成とすると共に、前記剥離シートを剥がして、前記透明ビニールシートに前記粘着シートを付着した状態で、該粘着シートの位置を前記透明ビニールシート越しに認識して、ナインボール載置位置に正しく前記粘着シートを前記ビリヤードクロスに貼り付けることを特徴としている。
【００１９】
上記の構成を有する請求項５に係る発明によれば、ボールを載置する粘着シートをビリヤード台表面のビリヤードクロスの正確な位置に貼付することができる。
【００２０】
請求項６に係る発明は、前記粘着シートを、直径が４〜６ｍｍの丸孔を備え外径が略１５ｍｍで厚みが０．１ｍｍ程度以下の九枚の円環状シートで構成していることを特徴としている。
【００２１】
上記の構成を有する請求項６に係る発明によれば、小さく非常に薄い粘着シートなのでボールの転がりの抵抗とはならず、貼付したままでゲームを続行可能な粘着シートとすることができる。
【発明の効果】
【００２２】
上記したように本発明によれば、ビリヤードのナインボールゲームにおいて、ゲーム開始前に九個のボールを正規の位置に正しくまた容易に整列することを可能とするナインボ
ールの位置決めシート及びボール位置決め方法を得ることができる。
【発明を実施するための最良の形態】
【００２３】
ナインボールゲーム等のビリヤードの公式競技において、ゲーム開始時に、ビリヤード台上の所定の位置に全てのボールを正確にまた容易に整列させることができるナインボールの位置決めシート及びボール位置決め方法を得るという目的を、透明ビニールシートと剥離シートとの間に前記丸穴を備える粘着シートを挟みこんだサンドイッチ構成のナインボールの位置決めシートとし、ビリヤード台表面のビリヤードクロスに貼付されると共にボールの転がりを妨害しない程度の大きさと薄さを備える粘着シートを用いて、前記粘着シートに設けられる小径丸穴にナインボールを載置するボール位置決め方法とすることで実現した。
【実施例】
【００２４】
以下、本発明に係るナインボールの位置決めシート及びボール位置決め方法の実施例について、図１から図５に基づいて説明する。
【００２５】
図１は本発明に係るナインボールの位置決めシートの全体平面図であり、図２は前記位置決めシートの断面図であり、（ａ）はＡ−Ａ断面図を示し、（ｂ）は剥離シートを引き剥がしてテーブルクロスに粘着シートを貼付しているところを示している。図３は本発明に係る粘着シートとボールの関係を示しており、（ａ）は粘着シートにボールを載置した実施例であり、（ｂ）はその拡大模式図であり、（ｃ）は粘着シートの平面図を示している。図４はビリヤード台全体の平面図であり、図５はナインボール九個のボールを整列した平面図である。
【００２６】
ビリヤードのナインボールゲームとは、図４に示すように、ビリヤード台２のビリヤードクロス（ラシャともいう）３上の所定の位置に、１番から９番までの九個のボール（的球）を所定形状に整列して、最も若い番号のボールに手球を撞き当てて、順にボールを落としていき、最後に９番のボールを落とした競技者が勝利するゲームであり、フットスポット６を基準に九個のボールを菱形状に整列して、ヘッドスポット５に置く手球７を撞いて競技を開始するものである。
【００２７】
そのために競技開始前には、図５に示すように、９番のボールＢ９を真ん中に配列した菱形状に整列させると共に、手球７が撞き当たる手前側に１番のボールＢ１を整列させておくことが決められている。
【００２８】
従来は、菱形の木枠を利用して、九個のボールを所定位置に人手により整列させているが、その基準は、手球７が撞き当たる先頭の１番のボールＢ１をフットスポット６に載置するようにして、前記木枠に収容したボールを一度に整列させていた。
【００２９】
そのために、先頭の１番のボールＢ１の位置は正確ではあるが、その他のボールの位置は木枠の置く位置や木枠を除去する際のショック等により狂うことがあり、ボールの位置が寸分違わず正確であるとは言い難い。
【００３０】
それ故、公式競技においてはボールの位置が正確かどうかチェックする必要がある。本実施例においては、ボールの位置を正確に規定する円環状の粘着シート１１を九枚備える位置決めシート１を用いて、前記粘着シート九枚を同時にビリヤードクロス３の表面に貼り付ける構成として、容易に九個のボール全てを整列可能とすると共に、整列後の再度のチャックを不要とする構成とした。
【００３１】
ビリヤードクロス３はその表面がフェルト状の厚手の毛織物であって、厚みが０．１ｍ
ｍ程度以下の非常に薄い小さな円環状の粘着シートを張り付けても、該シートが小さければボールの転がりに影響を与えることがない。
【００３２】
次に図１と図２によりナインボールの位置決めシート１について説明する。前記ナインボールの位置決めシート１は，透明ビニールシート１２と剥離シート１０との間に丸穴１１ａを備える円環状の粘着シート１１を九枚挟みこんだサンドイッチ構成である。前記粘着シート１１をビリヤードクロス３に貼付する際には、図２（ａ）に示す剥離シート１０を引き剥がして、図２（ｂ）に示すように、粘着シート１１を下側にして、ビリヤードクロス３に押し付ける。
【００３３】
この時に、透明ビニールシート１２を透して粘着シート１１を視認し、位置合わせをしながら前記粘着シート１１を貼り付けることができる。また、透明ビニールシート１２は矩形状であるので、前記フットスポット６に、１番のボールＢ１を載置する先頭の粘着シート１１を位置合わせすると共に、前記透明ビニールシート１２の辺（例えば１２Ａ）を所定のガイドラインＣに合致させる（図４参照）ことで、九枚全ての粘着シート１１を同時に所定位置に貼付することができる。
【００３４】
つまり、九枚全ての円環状の粘着シート１１を矩形状の透明ビニールシート１２の辺（長辺または短辺）に沿って所定位置に配設することで、前記辺を揃えて正確な位置に同時にまた確実に位置合わせして貼付することができる。
【００３５】
図３（ａ）にはビリヤードクロス３に貼付した粘着シート１１にボールＢを載置したところを示し、図３（ｂ）にはその載置部の拡大模式図を示し、図３（ｃ）には粘着シート１１の拡大図を示しているが、ボールＢの径（例えば５７ｍｍ）に比べて粘着シート１１の厚み（例えば８０μ：０．０８ｍｍのタックペイント：積水化学工業社製）が非常に薄く、またビリヤードクロス３の表面がフェルト状であるので、小さな粘着シートを貼付しても、ボールＢの転がりに悪影響を及ぼさない構成である。
【００３６】
図３（ｂ）に示す拡大模式図は、ボールＢが浮き上がった状態に描かれているが、実際には、粘着シート１１が非常に薄いために、ボールＢが浮かび上がることはなく、ただボールＢを載置した際に、ボールを静止させておくだけである。
【００３７】
図３（ｃ）に示す丸孔の径ｄは、例えば直径５７ｍｍのボールの場合には、５ｍｍとしている。もちろん、ボールＢの径の大小に応じて丸孔の径ｄも変化させてもよく、ボールの直径の略１／１０程度の大きさとすればよい。そのために、ビリヤード類のボールを安定して載置するためには、４〜６ｍｍ程度の径の丸孔が好ましい。
【００３８】
また、粘着シート１１の外径Ｄは、本実施例の場合には、１５ｍｍとしている。丸孔の径が５ｍｍでシートの外径が１５ｍｍの粘着シート１１であれば、径方向に１０ｍｍ分の粘着部が存在し、フェルト状のビリヤードクロス３表面にしっかりと粘着させることができる。
【００３９】
そのために、粘着シート１１を貼付したまま複数回のゲームを続行することができ、その度に九個のボールを容易に正確な位置に整列することができる。
【００４０】
図１に示すように、各粘着シート１１を所定ピッチＬだけ離間させて配設しているので、全てのボール分の粘着シート１１を正確な位置に、一度に貼付することができ好適である。例えば直径５７ｍｍのボールの場合には、ピッチＬを５６．５ｍｍとしている。この寸法であれば、ナインボールゲームにおいて九個のボールを、それぞれ５ｍｍの丸孔を利用して、菱形状にまとめてきっちり整列することができる。また、その整列関係を常時保
つことができるので、全ての競技者に対して公平であり、公式競技等にも採用可能なものとなる。つまり、前記ピッチＬは整列するボールの直径と略同じかまたは僅かに小さい寸法とすることが好ましい。
【００４１】
また、前記ナインボールの位置決めシート１を、矩形状の透明ビニールシート１２と剥離シート１０との間に、ナインボール配列位置に合致させた九枚の粘着シート１１を挟持したサンドイッチ構成としているので、そのままの状態で携帯容易であり、使用する時に前記剥離シート１０を引き剥がせば、直ちに粘着シート１１をビリヤードクロス３に整列させて貼付することができる。
【００４２】
前記粘着シートを一枚のシートに九個の丸孔を設ける構成としてもよいが、外径１５ｍｍ程度の大きさの九枚の粘着シートとすることで、ボールの転がりをさらに妨害しない構成となりより好ましい。
【００４３】
上記したように、本発明に係るナインボールの位置決めシートによれば、剥離シートを引き剥がして透明ビニールシート越しに粘着シートの位置を確認しながら、ビリヤードクロス上の所定の位置に正確に位置合わせして、全てのボールを所定位置に整列させる粘着シートを貼付することができる。
【００４４】
また、本発明に係るナインボール位置決め方法によれば、所定ピッチに貼付された九枚の粘着シートを備えるナインボールの位置決めシートの剥離シートを引き剥がしてビリヤードクロスに押し付けるだけで、前記九枚の粘着シートを全て所定位置に貼付することができ、全てのボールを所定位置に整列させることができる。
【図面の簡単な説明】
【００４５】
【図１】本発明に係るナインボールの位置決めシートの全体平面図である。
【図２】上記位置決めシートの断面図であり、（ａ）はＡ−Ａ断面図を示し、（ｂ）は剥離シートを引き剥がしてビリヤードクロスに粘着シートを貼付しているところを示している。
【図３】粘着シートとボールの関係を示しており、（ａ）は粘着シートにボールを載置した実施例であり、（ｂ）はその拡大模式図であり、（ｃ）は粘着シートの平面図を示している。
【図４】ビリヤード台の全体平面図である。
【図５】ナインボールの整列状態に合致させて貼付される粘着シートを示す平面図である。
【符号の説明】
【００４６】
１  ナインボールの位置決めシート
２  ビリヤード台
３  ビリヤードクロス
７  手球
１０  剥離シート
１１  粘着シート
１１ａ  丸孔
１２  透明ビニールシート
Ｂ  ボール
【図１】
2005270252.tif 000003
【図２】
2005270252.tif 000004
【図３】
2005270252.tif 000005
【図４】
2005270252.tif 000006
【図５】
2005270252.tif 000007